(57)【要約】      （修正有）【課題】新聞が差し入れられていないときにはコンパクトに収納可能な新聞受けを提供する。【解決手段】折り畳まれた新聞の一方側の面が当接可能な第１の当接面である底部１４が前面側に設けられ後面側が壁に固定される薄厚な本体部と、前記新聞の他方側の面が当接可能な第２の当接面である後板３７が設けられた当接片４と、一端部がそれぞれ本体部に固定されて底部１４の両側から引き出され他端部がそれぞれ当接片４の後板３７の両側に固定されて当接片４を本体部の表面側に付勢する伸縮可能な連結部材とを備え、本体部の表面側に当接した当接片４を付勢力に抗して引き出して第１の当接面と第２の当接面との間に前記新聞を挟み込んで保持可能である。【選択図】図６
2014180472.tif 000002
【特許請求の範囲】
【請求項１】
折り畳まれた新聞の一方側の面が当接可能な第１の当接面が前面側に設けられ後面側が壁面に固定される薄厚な本体部と、
前記新聞の他方側の面が当接可能な第２の当接面が設けられた当接片と、
一端部がそれぞれ本体部に固定されて第１の当接面の両側から引き出され他端部がそれぞれ当接片の第２の当接面の両側に固定されて当接片を本体部の前面側に付勢する伸縮可能な連結部材とを備え、
本体部の前面側に当接した当接片を付勢力に抗して引き出して第１の当接面と第２の当接面との間に前記新聞を挟み込んで保持可能な新聞受け。
【請求項２】
前記連結部材はコイルばねを備えていることを特徴とする請求項１に記載の新聞受け。
【請求項３】
本体部は壁面にねじ止めされるブラケットを備えていることを特徴とする請求項１または２に記載の新聞受け。
【発明の詳細な説明】
【技術分野】
【０００１】
本発明は新聞受けに関する。
【背景技術】
【０００２】
特許文献１に記載の新聞受けは、上下方向に細長く下部が開口した直方体状の本体を備えており、新聞は本体下部の開口部から差し入れられる。本体の内部には弾性変形可能な板ばねが設けられており、差し入れられた新聞はこの板ばねに挟まれた状態で収容される。新聞受けに収容された新聞は、板ばねのばね力に抗して開口部から下方に引っ張って取り出される。
【先行技術文献】
【特許文献】
【０００３】
【特許文献１】実開平１−１３９７７６号公報
【発明の概要】
【発明が解決しようとする課題】
【０００４】
集合住宅では、戸別の郵便受けが全戸まとめて集合住宅の入り口付近に設けられ、新聞受けは戸別の玄関に各々設けられる場合がある。このような場合に、特許文献１に記載の新聞受けを玄関に設置すると、新聞受けは新聞が差し入れられていないときでも新聞が差し入れられているときと同じ大きさを保っているので嵩張るという問題があった。
【０００５】
本発明の目的は、このような課題を解決するもので、新聞が差し入れられていないときにはコンパクトに収納可能な新聞受けを提供することである。
【課題を解決するための手段】
【０００６】
この課題を解決するために請求項１の発明は、折り畳まれた新聞の一方側の面が当接可能な第１の当接面が前面側に設けられ後面側が壁面に固定される薄厚な本体部と、前記新聞の他方側の面が当接可能な第２の当接面が設けられた当接片と、一端部がそれぞれ本体部に固定されて第１の当接面の両側から引き出され他端部がそれぞれ当接片の第２の当接面の両側に固定されて当接片を本体部の前面側に付勢する伸縮可能な連結部材とを備え、本体部の前面側に当接した当接片を付勢力に抗して引き出して第１の当接面と第２の当接面との間に前記新聞を挟み込んで保持可能である。
【０００７】
請求項２の発明では、前記連結部材はコイルばねを備えている。
請求項３の発明では、本体部は壁面にねじ止めされるブラケットを備えている。
【発明の効果】
【０００８】
請求項１記載の発明によれば、配達された新聞を、本体部の第１の当接面と当接片の第２の当接面との間に挟み込んで保持することができ、新聞が配達されていないときには当接片を薄厚な本体部に当接させてコンパクトに収納することができる。
【０００９】
請求項２記載の発明によれば、適当なコイルばねを選定して当接片の付勢力を簡単に変更することができる。
請求項３の発明では、ブラケットを壁面にねじ止めして、壁面の表面側から本体部を簡単に取り付けることができる。
【図面の簡単な説明】
【００１０】
【図１】本発明の一実施の形態に係る新聞受けの斜視図である。
【図２】同当接片が引き出された状態の新聞受けの斜視図である。
【図３】同本体部の取り付け手順を示す斜視図である。
【図４】同新聞受けをカバーの裏面側から見た斜視図である。
【図５】同当接片が引き出された状態の新聞受けをカバーの裏面側から見た斜視図である。
【図６】同新聞受けの断面図である。
【発明を実施するための形態】
【００１１】
以下、本発明の一実施の形態について図１〜図６に基づいて説明する。新聞受け１は、壁にねじ止めされる本体部２と、連結部材３を介して本体部２に接続される当接片４とを備えており、たとえば水平方向に細長に設置される。
【００１２】
本体部２は、壁５にねじ止めされるブラケット６と、ブラケット６に取り付けられるカバー７とを備えている。ブラケット６は、たとえば金属板を断面コの字状に折り曲げて形成される。ブラケット６の底面８には対角線上に取り付け孔９が２箇所設けられており、ブラケット６はこの取り付け孔９を用いて壁５にビス止めされる。底面８から立ち上がる上部側辺１０の基端部には角形の切り欠き１１が２箇所形成されており、底面８から立ち上がる下部側辺１２にはねじ孔１３が形成されている。
【００１３】
カバー７は金属板の４辺を後方に立ち上げて薄厚な箱型に形成されており、第１の当接面である底部１４の長手方向の両端部近傍には孔部１５が形成されている。上部側辺１６には、プレス加工によって下方に突き出た円弧状の凸部１７が２箇所形成されており、下部側辺１８には孔部１９が形成されている。
【００１４】
連結部材３は、引っ張りコイルばね２１とワイヤー２２とを備えている。引っ張りコイルばね２１は一端部が係止片２３に係止された状態でカバー７の底部１４裏面側に収容されている。係止片２３は金属板を折り曲げてＬ字状に形成されており、引っ張りコイルばね２１の一端部は、一方側の辺２４に形成された係止孔２５に係止される。係止片２３は、他方側の辺２６の孔部と底部１４の孔部１５に略ボルト状に形成された取り付け金具２７を通し、取り付け金具２７の外周の雄ねじ部にナット２８を螺合し、取り付け金具２７とともに底部１４へ固定される。また、左右に配置される係止片２３は上下逆向きに取り付けられ、辺２６の端部がカバー７内部の上部側辺１６または下部側辺１８まで伸びており、これによって係止片２３が取り付け金具２７を中心として回転することが防止される。取り付け金具２７の中央部には孔部２９が形成されている。なお、孔部１５の前面側には樹脂製の座金が設けられている。
【００１５】
ワイヤー２２は引っ張りコイルばね２１の他端部に接続される。ワイヤー２２の一端部には丸型端子３１がかしめられており、引っ張りコイルばね２１の他端部がこの丸型端子３１に係止される。一端部が引っ張りコイルばね２１に接続されているワイヤー２２は取り付け金具２７の孔部２９に挿通されてカバー７の前面側に突出している。カバー７の前面側に突出したワイヤー２２の他端部にはボール端子３２がかしめられている。
【００１６】
カバー７は、上部側辺１６の凸部１７がブラケット６の切り欠き１１に引っ掛けられた状態で、下部側辺１８の孔部１９に通した取付けねじ３０でブラケット６のねじ孔１３にねじ止めされる。
【００１７】
当接片４は、前方に位置するステンレス製の前板３６と、前板３６の後側に接着される樹脂製の後板３７とを備えている。後板３７は第２の当接面である。前板３６と後板３７とは、平面視がカバー７と同じ形状の細長な長方形である。当接片４は、さらに後板３７の長手方向両端部に設けられた脚部３８を備えている。
【００１８】
脚部３８はステンレスを用いて略円柱状に形成されており、ワイヤー２２のボール端子３２を収容する収容部３９を備えている。収容部３９は前方に開口した円筒形の孔部であり、収容部３９の後部にはワイヤー２２が挿通される挿通孔４０が形成されている。ワイヤー２２のボール端子３２は、引っ張りコイルばね２１によって本体部２側に付勢された状態で収容部３９の底部に当接している。
【００１９】
収容部３９の開口部には雌ねじ部４１が形成されており、脚部３８は皿小ねじ４２を用いて後板３７にねじ止めされている。脚部３８の後端中央部には凹部４３が形成されており、当接片４が引き出されていないときには、取り付け金具２７の頭部が凹部４３に収容された状態で、脚部３８の後端面周縁部４４がカバー７前面の前記樹脂製座金に当接している。
【００２０】
新聞受け１は、たとえば集合住宅の戸別の玄関の壁に取り付けられる。新聞受け１に新聞が挟み込まれていないときには、当接片４が引き出されておらず、当接片４の脚部３８が薄厚な本体部２に当接した状態となり、壁面から突出する突出部を小さくコンパクトにすることができる。配達された新聞は、当接片４を引き出して、本体部２のカバー７と当接片４との間に容易に挟み込むことができる。
【００２１】
本実施の形態では、新聞受け１は水平方向に細長に設置されており、新聞受け１の上方あるいは下方から新聞が挟み込まれるが、新聞受け１を上下方向に細長に設置して、水平方向から新聞を挟み込むようにすることもできる。
【００２２】
当接片４には樹脂製の後板３７が設けられているので、使用者が当接片４を引き出して当接片４とカバー７との間に新聞を挟み込み、あるいは当接片４とカバー７との間に挟み込まれた新聞を取り出すときに、新聞がステンレス製の前板３６に当たって破れることを防止することができる。
【００２３】
このように、折り畳まれた新聞の一方側の面が当接可能な第１の当接面である底部１４が前面側に設けられ後面側が壁５に固定される薄厚な本体部２と、前記新聞の他方側の面が当接可能な第２の当接面である後板３７が設けられた当接片４と、一端部がそれぞれ本体部２に固定されて底部１４の両側から引き出され他端部がそれぞれ当接片４の後板３７の両側に固定されて当接片４を本体部２の表面側に付勢する伸縮可能な連結部材３とを備え、本体部２の表面側に当接した当接片４を付勢力に抗して引き出して第１の当接面と第２の当接面との間に前記新聞を挟み込んで保持可能であるので、配達された新聞を、本体部２の第１の当接面と当接片４の第２の当接面との間に挟み込んで保持することができ、新聞が配達されていないときには当接片４を本体部２に当接させてコンパクトに収納することができる。
【００２４】
さらに、連結部材３は引っ張りコイルばね２１を備えているので、引っ張りコイルばね２１を適当に選定して当接片４の付勢力を簡単に変更することができる。
さらに、本体部２は壁５にねじ止めされるブラケット６を備えているので、ブラケット６を壁５にねじ止めして、壁５の表面側から本体部２を簡単に取り付けることができる。
【符号の説明】
【００２５】
１    新聞受け
２    本体部
３    連結部材
４    当接片
５    壁
６    ブラケット
７    カバー
８    底面
９    取り付け孔
１０    上部側辺
１１    切り欠き
１２    下部側辺
１３    ねじ孔
１４    底部
１５，１９，２９    孔部
１６    上部側辺
１７    凸部
１８    下部側辺
２１    引っ張りコイルばね
２２    ワイヤー
２３    係止片
２４，２６    辺
２５    係止孔
２７    取り付け金具
２８    ナット
３０    取付けねじ
３１    丸型端子
３２    ボール端子
３６    前板
３７    後板
３８    脚部
３９    収容部
４０    挿通孔
４１    雌ねじ部
４２    皿小ねじ
４３    凹部
４４    後端面周縁部
【図１】
2014180472.tif 000003
【図２】
2014180472.tif 000004
【図３】
2014180472.tif 000005
【図４】
2014180472.tif 000006
【図５】
2014180472.tif 000007
【図６】
2014180472.tif 000008